(57)【要約】      （修正有）【課題】複数の電源配線毎に電気的短絡または焼損のような不良を防止できる表示装置及びその駆動方法を提供する。【解決手段】複数の画素領域Ｐに対応する複数の電源配線２２２を含み、映像を表示する表示パネル２２０と、複数の電源配線２２２に電源電圧を供給し、複数の電源配線２２２に流れる電流を検出し、その検出結果に基づいて電源電圧の供給を制御する電源制御部２５０と、表示パネル２２０にデータ信号を供給する複数のデータ駆動部２３０とを備え、複数の電源制御部２５０は、発光表示パネル２２０の複数の電源配線２２２に流れる電流を検出し、その検出結果に基づいて電源電圧の供給をオン・オフさせる。【選択図】図３
2014085667.tif 000002
【特許請求の範囲】
【請求項１】
複数の画素領域に対応する複数の電源配線を含み、映像を表示する表示パネルと、
前記複数の電源配線に電源電圧を供給し、前記複数の電源配線に流れる電流を検出し、その検出結果に基づいて前記電源電圧の供給を制御する電源制御部と、
前記表示パネルにデータ信号を供給する複数のデータ駆動部と、
を備えることを特徴とする表示装置。
【請求項２】
前記電源制御部は、
前記電源電圧の出力可否を決定する電源電圧制御部と、
前記電源電圧制御部の制御に従って前記複数の電源配線への前記電源電圧の供給をオン・オフするスイッチ部と、
前記複数の電源配線に流れる前記電流を検出する電流検出部と、
複数の出力端子に出力される前記電源電圧の経路である複数の供給チャネルのうちから１つを選択するチャネル選択部と、
前記電流検出部が検出した前記電流を基準電流と比較する比較部と、
を含み、
前記電源電圧制御部は、前記比較部の比較結果に基づいて前記スイッチ部を制御することを特徴とする請求項１に記載の表示装置。
【請求項３】
前記スイッチ部は、電源電圧供給配線に並列に接続される複数のトランジスタを含み、
前記電流検出部は、前記複数のトランジスタと前記複数の出力端子との間にそれぞれ接続される複数の抵抗を含み、
前記チャネル選択部は、前記複数の抵抗の一端にある複数の第１ノードのうちから１つを選択する第１マルチプレクサ（ＭＵＸ１）と、前記複数の抵抗の他端にある複数の第２ノードのうちから１つを選択する第２マルチプレクサ（ＭＵＸ２）とを含み、
前記比較部は、前記複数の第１ノードのうちから選択された１つの第１電圧と前記複数の第２ノードのうちから選択された１つの第２電圧とを比較する比較器を含むことを特徴とする請求項２に記載の表示装置。
【請求項４】
前記比較部は、
前記第１電圧と前記第２電圧の差が基準電圧以下である場合、前記電流が前記基準電流以下であると判断し、
前記第１電圧と前記第２電圧の差が前記基準電圧より大きい場合は、前記電流が前記基準電流より大きいと判断することを特徴とする請求項３に記載の表示装置。
【請求項５】
前記発光ダイオードパネルは、前記複数の画素領域及び前記複数の電源配線を含む表示領域と、前記表示領域を囲む非表示領域とを含み、
前記非表示領域には、前記電源制御部及び前記複数の電源配線に接続される複数の第１電源リンク配線が形成されることを特徴とする請求項１に記載の表示装置。
【請求項６】
前記複数の電源配線のうちの２つ以上が、前記複数の第１電源リンク配線のそれぞれに接続されることを特徴とする請求項５に記載の表示装置。
【請求項７】
前記複数のデータ駆動部は、それぞれ前記データ信号を生成する駆動集積回路と、前記駆動集積回路が装着される延性印刷回路とを含み、
前記延性印刷回路には、前記電源制御部及び前記複数の第１電源リンク配線に接続される複数の第２電源リンク配線が形成されることを特徴とする請求項５に記載の表示装置。
【請求項８】
前記複数のデータ駆動部は、前記電源制御部が装着されるデータ印刷回路基板を更に含み、
前記データ印刷回路基板には、前記電源制御部及び前記第２電源リンク配線に接続される複数の第３電源リンク配線が形成されることを特徴とする請求項７に記載の表示装置。
【請求項９】
電源制御部が発光ダイオードパネルの複数の電源配線に複数の出力端子から出力される電源電圧を供給し、複数のデータ駆動部が複数の画素領域にデータ信号を供給して映像を表示する段階と、
前記電源制御部が前記複数の電源配線に流れる電流を検出し、その電流が過電流であるか否かを判断する段階と、
前記電流が前記過電流である場合、前記電源制御部が前記複数の電源配線に供給される前記電源電圧を選択的に遮断する段階と、
を含むことを特徴とする表示装置の駆動方法。
【請求項１０】
前記電流が前記過電流でない場合、前記電源制御部が前記電源電圧を前記複数の電源配線に持続的に供給する段階を更に含むことを特徴とする請求項９に記載の表示装置の駆動方法。
【発明の詳細な説明】
【技術分野】
【０００１】
本発明は、表示装置に関するものであって、特に電源電圧を制御する電源制御部を備える表示装置及びその駆動方法に関するものである。
【背景技術】
【０００２】
フラットパネル表示装置（ｆｌａｔ  ｐａｎｅｌ  ｄｉｓｐｌａｙ：ＦＰＤ）の一つである有機発光ダイオード（ｏｒｇａｎｉｃ  ｌｉｇｈｔ  ｅｍｉｔｔｉｎｇ  ｄｉｏｄｅ：ＯＬＥＤ）表示装置は、高輝度及び低動作電圧の特性を有する。
【０００３】
そして、自ら発光する自己発光型であるため、コントラスト比が高く、超薄型ディスプレイの具現化が可能であり、応答時間が数マイクロ秒（μｓ）程度で動画像を具現化しやすい。また、視野角に制限がなく、低温下においても安定的であり、直流５Ｖないし１５Ｖの低電圧で駆動するため、駆動回路の製作及び設計が容易である。
【０００４】
また、有機発光ダイオード表示装置の製造工程は、蒸着（ｄｅｐｏｓｉｔｉｏｎ）及びカプセル化（ｅｎｃａｐｓｕｌａｔｉｏｎ）が全てであると言えるため、製造工程が非常に単純である。
【０００５】
ところが、有機発光ダイオード表示装置は、発光ダイオードに電流を供給して光を放出させる電流駆動方式であるため、統合電源配線を介して各画素領域に様々な大容量の電源を供給しなければならない。
【０００６】
かかる有機発光ダイオード表示装置の統合電源配線について図面を参照して説明する。
【０００７】
図１は、従来の有機発光ダイオード表示装置の一例を示す図面である。
【０００８】
図１に示すように、従来の一例に係る有機発光ダイオード表示装置１０は、映像を表示する発光ダイオードパネル２０と、発光ダイオードパネル２０に接続され、それぞれゲート信号及びデータ信号を供給する複数のゲート駆動部（不図示）及び複数のデータ駆動部３０と、複数のゲート駆動部に複数のゲート制御信号を供給し、複数のデータ駆動部３０に複数のデータ制御信号及び映像信号を供給するタイミング制御部５０とを備える。
【０００９】
発光ダイオードパネル２０は、複数の画素領域Ｐで構成される表示領域ＤＡと、表示領域ＤＡを囲む非表示領域ＮＤＡとを含む。表示領域ＤＡには、複数の画素領域Ｐに第１電源を供給するための複数の第１電源配線２２が形成される。また、非表示領域ＮＤＡには、複数の第１電源配線２２に接続され、外部から供給される第１電源を複数の第１電源配線２２に伝達する第１統合電源配線２４が形成される。
【００１０】
図面に示していないが、表示領域ＤＡには、複数の画素領域Ｐに第２電源を供給するための複数の第２電源配線が形成される。また、非表示領域ＮＤＡには、複数の第２電源配線に接続され、外部から供給される第２電源を複数の第２電源配線に伝達する第２統合電源配線２６が形成される。
【００１１】
複数のデータ駆動部３０は、複数の駆動集積回路（ｄｒｉｖｉｎｇ  ｉｎｔｅｇｒａｔｅｄ  ｃｉｒｃｕｉｔ：ＤＩＣ）３２と、複数の延性印刷回路（ｆｌｅｘｉｂｌｅ  ｐｒｉｎｔｅｄ  ｃｉｒｃｕｉｔ：ＦＰＣ）３４と、データ印刷回路基板（ｐｒｉｎｔｅｄ  ｃｉｒｃｕｉｔ  ｂｏａｒｄ：ＰＣＢ）３６とを含む。複数の駆動集積回路３２と複数の延性印刷回路３４は、それぞれテープキャリアパッケージ（ＴＣＰ）のように、フィルムの上部に集積回路を装着したチップオンフィルム（ＣＯＦ）の形態で形成され、印刷回路基板３６と発光ダイオードパネル２０とを接続させる。
【００１２】
延性印刷回路３４の両端部には、外部から第１電源が供給される第１電源供給線４０が形成され、第１電源供給線４０は、第１統合電源配線２４に接続される。
【００１３】
そして、発光ダイオードパネル２０には、フィルムオングラス（ＦＯＧ）のような補助駆動部３８が接続されるが、補助駆動部３８には第２電源供給線４２が形成され、第２電源供給線４２は、第２統合電源配線２６に接続される。
【００１４】
タイミング制御部５０は、ＴＶシステムまたはグラフィックカードのような外部システムから印加された映像信号及び複数のタイミング信号を用いて、複数のゲート制御信号、複数のデータ制御信号及び再配列された映像信号を生成する。
【００１５】
図２は、従来の有機発光ダイオード表示装置の他の一例を示す図面である。
【００１６】
図２に示すように、他の一例に係る従来の有機発光ダイオード表示装置１１０は、映像を表示する発光ダイオードパネル１２０と、発光ダイオードパネル１２０に接続され、それぞれゲート信号及びデータ信号を供給する複数のゲート駆動部（不図示）及び複数のデータ駆動部１３０と、複数のゲート駆動部に複数のゲート制御信号を供給し、複数のデータ駆動部１３０に複数のデータ制御信号及び映像信号を供給するタイミング制御部１５０とを備える。
【００１７】
発光ダイオードパネル１２０は、複数の画素領域Ｐで構成される表示領域ＤＡと、表示領域ＤＡを囲む非表示領域ＮＤＡとを含む。表示領域ＤＡには、複数の画素領域Ｐに第１及び第２電源をそれぞれ供給するための複数の第１電源配線１２２及び複数の第２電源配線（不図示）が形成される。また、非表示領域ＮＤＡには、複数の第１電源配線１２２に接続され、外部から供給される第１電源を複数の第１電源配線１２２に伝達する第１統合電源配線１２４及び複数の第２電源配線に接続され、外部から供給される第２電源を複数の第２電源配線に伝達する第２統合電源配線１２６が形成される。
【００１８】
複数のデータ駆動部１３０は、複数の駆動集積回路１３２と、複数の延性印刷回路１３４と、データ印刷回路基板１３６とを含む。複数の駆動集積回路１３２と複数の延性印刷回路１３４は、それぞれテープキャリアパッケージ（ＴＣＰ）のように、フィルムの上部に集積回路を装着したチップオンフィルム（ＣＯＦ）の形態で形成され、印刷回路基板１３６と発光ダイオードパネル１２０とを接続させる。
【００１９】
延性印刷回路１３４の両端部には、外部から第１電源が供給される第１外部電源線１４０及び外部から第２電源が供給される第２外部電源線１４２が形成される。第１及び第２外部電源線１４０、１４２は、それぞれ第１及び第２統合電源配線１２４、１２６に接続される。
【００２０】
タイミング制御部１５０は、ＴＶシステムまたはグラフィックカードのような外部システムから印加された映像信号及び複数のタイミング信号を用いて、複数のゲート制御信号、複数のデータ制御信号及び再配列された映像信号を生成する。
【００２１】
かかる従来の有機発光ダイオード表示装置１０、１１０において、第１及び第２電源は、それぞれ電源電圧ＶＤＤ及び基底電圧ＶＳＳである。有機発光ダイオード表示装置１０、１１０を長時間駆動した場合、発光ダイオードパネル２０、１２０内の複数の第１電源配線２２、１２２が他の配線と電気的に短絡（ｅｌｅｃｔｒｉｃ  ｓｈｏｒｔａｇｅ）したり、または発光ダイオード自体が電気的に短絡したりすることがある。その結果、複数の第１電源配線２２、１２２に過度な電流が流れ、焼損する可能性がある。
【００２２】
また、一つの第１統合電源配線２４、１２４及び一つの第２統合電源配線２６、１２６を介して発光ダイオードパネル２０、１２０の全画素領域Ｐに第１及び第２電源を供給するため、第１統合電源配線２４、１２４及び第２統合電源配線２６、１２６のそれぞれには過度な電流が流れる。その結果、第１統合電源配線２４、１２４または第２統合電源配線２６、１２６が焼損、または他の配線と電気的に短絡（ｅｌｅｃｔｒｉｃ  ｓｈｏｒｔａｇｅ）することもある。更に、このような第１統合電源配線２４、１２４及び第２統合電源配線２６、１２６の不良は、第１電源配線２２、１２２及び第２電源配線に拡散する恐れがある。
【００２３】
特に、大面積表示装置の場合、更に多くの駆動電流を必要とするため、かかる不良が更に大きな問題となる。
【発明の概要】
【発明が解決しようとする課題】
【００２４】
本発明は、かかる問題を解決するためになされたものであって、複数の電源配線に供給される電源電流をそれぞれ検出し、その検出結果に基づいて電源電圧を複数の電源配線毎に制御することで、複数の電源配線毎に電気的短絡または焼損のような不良を防止できる電源制御部を備える表示装置及びその駆動方法を提供することを目的とする。
【００２５】
また、本発明は、複数の電源配線に供給される電源電流をそれぞれ検出し、その検出結果に基づいて電源電圧を複数の電源配線毎に制御する電源制御部を構成することで、製造費用が節減され、制御段階が簡略化された電源制御部を備える表示装置及びその駆動方法を提供することを他の目的とする。
【課題を解決するための手段】
【００２６】
上述のような課題を解決するために、本発明は、複数の画素領域に対応する複数の電源配線を含み、映像を表示する表示パネルと；前記複数の電源配線に電源電圧を供給し、前記複数の電源配線に流れる電流を検出し、その検出結果に基づいて前記電源電圧の供給を制御する電源制御部と；前記表示パネルにデータ信号を供給する複数のデータ駆動部とを備える表示装置を提供する。
【００２７】
そして、前記電源制御部は、前記電源電圧の出力可否を決定する電源電圧制御部と；前記電源電圧制御部の制御に従って前記複数の電源配線への前記電源電圧の供給をオン・オフするスイッチ部と；前記複数の電源配線に流れる前記電流を検出する電流検出部と；複数の出力端子に出力される前記電源電圧の経路である複数の供給チャネルのうちから１つを選択するチャネル選択部と；前記電流検出部が検出した前記電流を基準電流と比較する比較部とを含み、前記電源電圧制御部は、前記比較部の比較結果に基づいて前記スイッチ部を制御することができる。
【００２８】
また、前記スイッチ部は、電源電圧供給配線に並列に接続される複数のトランジスタを含み、前記電流検出部は、前記複数のトランジスタと前記複数の出力端子との間にそれぞれ接続される複数の抵抗を含む。そして、前記チャネル選択部は、前記複数の抵抗の一端にある複数の第１ノードのうちから１つを選択する第１マルチプレクサ（ＭＵＸ１）と、前記複数の抵抗の他端にある複数の第２ノードのうちから１つを選択する第２マルチプレクサ（ＭＵＸ２）とを含み、前記比較部は、前記複数の第１ノードのうちから選択された１つの第１電圧と前記複数の第２ノードのうちから選択された１つの第２電圧とを比較する比較器を含むことができる。
【００２９】
そして、前記比較部は、前記第１電圧と前記第２電圧の差が基準電圧以下である場合、前記電流が前記基準電流以下であると判断し、前記第１電圧と前記第２電圧の差が前記基準電圧より大きい場合は、前記電流が前記基準電流より大きいと判断することができる。
【００３０】
また、前記発光ダイオードパネルは、前記複数の画素領域及び前記複数の電源配線を含む表示領域と、前記表示領域を囲む非表示領域とを含み、前記非表示領域には、前記電源制御部及び前記複数の電源配線に接続される複数の第１電源リンク配線が形成されることができる。
【００３１】
そして、前記複数の電源配線のうちの２つ以上が、前記複数の第１電源リンク配線のそれぞれに接続されることができる。
【００３２】
また、前記複数のデータ駆動部は、それぞれ前記データ信号を生成する駆動集積回路と、前記駆動集積回路が装着される延性印刷回路とを含み、前記延性印刷回路には、前記電源制御部及び前記複数の第１電源リンク配線に接続される複数の第２電源リンク配線が形成されることができる。
【００３３】
そして、前記複数のデータ駆動部は、前記電源制御部が装着されるデータ印刷回路基板を更に含み、前記データ印刷回路基板には、前記電源制御部及び前記第２電源リンク配線に接続される複数の第３電源リンク配線が形成されることができる。
【００３４】
一方、本発明は、電源制御部が発光ダイオードパネルの複数の電源配線に複数の出力端子から出力される電源電圧を供給し、複数のデータ駆動部が複数の画素領域にデータ信号を供給して映像を表示する段階と；前記電源制御部が前記複数の電源配線に流れる電流を検出し、その電流が過電流であるか否かを判断する段階と；前記電流が前記過電流である場合、前記電源制御部が前記複数の電源配線に供給される前記電源電圧を選択的に遮断する段階とを含む表示装置の駆動方法を提供する。
【００３５】
そして、前記表示装置の駆動方法は、前記電流が前記過電流でない場合、前記電源制御部が前記電源電圧を前記複数の電源配線に持続的に供給する段階を更に含むことができる。
【発明の効果】
【００３６】
本発明は、複数の電源配線に供給される電源電流をそれぞれ検出し、その検出結果に基づいて電源電圧を複数の電源配線毎に制御することで、複数の電源配線毎に電気的短絡または焼損のような不良を防止できる効果を有する。
【００３７】
また、本発明は、複数の電源配線に供給される電源電流をそれぞれ検出し、その検出結果に基づいて電源電圧を複数の電源配線毎に制御する電源制御部を構成することで、製造費用を節減すると共に制御段階を簡略化できる効果を有する。
【図面の簡単な説明】
【００３８】
【図１】従来の有機発光ダイオード表示装置の一例を示す図面である。
【図２】従来の有機発光ダイオード表示装置の他の一例を示す図面である。
【図３】本発明の実施形態に係る有機発光ダイオード表示装置を示す図面である。
【図４】本発明の実施形態に係る有機発光ダイオード表示装置の電源制御部のブロック図である。
【図５】本発明の実施形態に係る有機発光ダイオード表示装置の電源制御部の回路図である。
【図６】本発明の実施形態に係る有機発光ダイオード表示装置の駆動方法を示すフロー図である。
【図７】本発明の他の実施形態に係る有機発光ダイオード表示装置を示す図面である。
【発明を実施するための最良の形態】
【００３９】
以下、図面を参照して本発明に係る電源制御部を備える表示装置及びその駆動方法について説明する。この説明においては、その一例として有機発光ダイオード表示装置を挙げて説明する。
【００４０】
図３は、本発明の実施形態に係る有機発光ダイオード表示装置を示す図面である。
【００４１】
図３に示すように、本発明の実施形態に係る有機発光ダイオード表示装置２１０は、映像を表示する発光ダイオードパネル２２０と、発光ダイオードパネル２２０に接続され、それぞれゲート信号及びデータ信号を供給する複数のゲート駆動部（不図示）及び複数のデータ駆動部２３０と、発光ダイオードパネル２２０に接続され、電源電圧を供給する電源制御部２５０と、複数のゲート駆動部に複数のゲート制御信号を供給し、複数のデータ駆動部２３０に複数のデータ制御信号及び映像信号を供給するタイミング制御部２６０とを備える。
【００４２】
発光ダイオードパネル２２０は、複数の画素領域Ｐで構成される表示領域ＤＡと、表示領域ＤＡを囲む非表示領域ＮＤＡとを有する第１及び第２基板（不図示）を含む。第１基板の表示領域ＤＡには、複数の画素領域Ｐに電源電圧ＶＤＤを供給するための複数の電源配線２２２が、第１方向（垂直方向）に形成される。また、第１基板の非表示領域ＮＤＡには、複数の電源配線２２２に接続され、電源電圧ＶＤＤを複数の電源配線２２２に伝達する複数の第１電源リンク配線２２４が形成される。
【００４３】
図面に示していないが、第１基板の表示領域ＤＡには、互いに交差して複数の画素領域Ｐを定義する複数のゲート配線及びデータ配線が形成される。複数の画素領域Ｐのそれぞれには、ゲート配線及びデータ配線に接続されるスイッチング薄膜トランジスタと、スイッチング薄膜トランジスタに接続される駆動薄膜トランジスタ及びストレージキャパシタと、駆動薄膜トランジスタに接続され、電源電圧ＶＤＤを用いて発光する発光ダイオードとが形成される。
【００４４】
複数のデータ駆動部２３０は、複数の駆動集積回路（ｄｒｉｖｉｎｇ  ｉｎｔｅｇｒａｔｅｄ  ｃｉｒｃｕｉｔ：ＤＩＣ）２３２と、複数の延性印刷回路（ｆｌｅｘｉｂｌｅ  ｐｒｉｎｔｅｄ  ｃｉｒｃｕｉｔ：ＦＰＣ）２３４と、データ印刷回路基板（ｐｒｉｎｔｅｄ  ｃｉｒｃｕｉｔ  ｂｏａｒｄ：ＰＣＢ）２３６とを含む。複数の駆動集積回路２３２及び複数の延性印刷回路２３４は、それぞれテープキャリアパッケージ（ＴＣＰ）のように、フィルムの上部に集積回路を装着したチップオンフィルム（ＣＯＦ）の形態で形成され、印刷回路基板２３６と発光ダイオードパネル２２０とを接続させることができる。
【００４５】
そして、複数の延性印刷回路２３４のそれぞれの両端部には、複数の第１電源リンク配線２２４にそれぞれ接続され、電源電圧ＶＤＤを複数の第１電源リンク配線２２４に伝達する複数の第２電源リンク配線２４０が形成される。
【００４６】
複数の電源制御部２５０は、それぞれ集積回路（ｉｎｔｅｇｒａｔｅｄ  ｃｉｒｃｕｉｔ：ＩＣ）の形態で形成され、データ印刷回路基板２３６に装着されることができる。電源電圧ＶＤＤを生成して出力する場合において、複数の電源制御部２５０は、発光ダイオードパネル２２０の複数の電源配線２２２に流れる電流を検出し、その検出結果に基づいて電源電圧ＶＤＤの出力を制御する。
【００４７】
そのため、複数の電源制御部２５０のそれぞれは、電源電圧ＶＤＤを出力する複数の出力端子２５２を含む。そして、データ印刷回路基板２３６には、複数の出力端子２５２及び複数の第２電源リンク配線２４０にそれぞれ接続され、複数の電源制御部２５０のそれぞれの電源電圧ＶＤＤを複数の第２電源リンク配線２４０に伝達する複数の第３電源リンク配線２４２が形成される。
【００４８】
その結果、複数の電源制御部２５０から出力される電源電圧ＶＤＤは、互いに１：１：１の対応関係で接続される第１ないし第３電源リンク２２４、２４０、２４２を介して複数の電源配線２２２に伝達され、複数の画素領域Ｐのそれぞれの発光ダイオードに供給される。
【００４９】
図３の実施形態においては、複数の第２電源リンク配線２４０が複数の延性印刷回路２３４のそれぞれの両端部に形成されることを例に挙げたが、他の実施形態においては、複数の第２電源リンク配線２４０が複数の駆動集積回路２３２のそれぞれの複数の出力端子（不図示）と交互に配置するように形成されても良い。
【００５０】
タイミング制御部２６０は、ＴＶシステムまたはグラフィックカードのような外部システムから伝達された映像信号と、データイネーブル（ＤＥ）信号、水平同期（ｈｏｒｉｚｏｎｔａｌ  ｓｙｎｃｈｒｏｎｉｚａｔｉｏｎ：ＨＳＹ）信号、垂直同期（ｖｅｒｔｉｃａｌ  ｓｙｎｃｈｒｏｎｉｚａｔｉｏｎ：ＶＳＹ）信号、及びクロック（ＣＬＫ）信号のような複数のタイミング信号とを用いて、複数のゲート制御信号、複数のデータ制御信号及び再配列された映像信号を生成し、複数のゲート駆動部及び複数のデータ駆動部２３０に伝達する。
【００５１】
次に、電源配線２２２への電源電圧ＶＤＤ供給を制御する電源制御部２５０の構成について図面を参照して説明する。
【００５２】
図４は、本発明の実施形態に係る有機発光ダイオード表示装置の電源制御部のブロック図であり、図５は、本発明の実施形態に係る有機発光ダイオード表示装置の電源制御部の回路図である。
【００５３】
図４及び図５に示すように、本発明の実施形態に係る有機発光ダイオード表示装置の複数の電源制御部２５０のそれぞれは、電源電圧制御部２７０と、スイッチ部２７２と、電流検出部２７４と、チャネル選択部２７６と、比較部２７８とを含む。
【００５４】
電源電圧制御部２７０は、比較部２７８の比較結果に基づいてスイッチ部２７２を制御し、電源電圧ＶＤＤの出力可否を決定する。
【００５５】
スイッチ部２７２は、電源電圧制御部２７０の制御に従って電源電圧ＶＤＤの供給をオン・オフさせる。例えば、スイッチ部２７２は、電源電圧ＶＤＤ供給配線に並列に接続される複数のトランジスタＴで構成される。
【００５６】
電流検出部２７４は、複数の第１ないし第３電源リンク配線２２４、２４０、２４２のそれぞれに流れる電流を検出する。例えば、電流検出部２７４は、複数のトランジスタＴと複数の出力端子２５２との間にそれぞれ接続される複数の抵抗Ｒで構成される。
【００５７】
複数の抵抗Ｒは、例えば、約０．０１オームの精密抵抗であっても良い。
【００５８】
更に、複数のトランジスタＴと複数の抵抗Ｒとの間には、複数の第１ノードＮ１が形成され、複数の抵抗Ｒと複数の出力端子２５２との間には、第２ノードＮ２が形成される。
【００５９】
チャネル選択部２７６は、複数の電源配線２２２に対応する複数の出力端子２５２に出力される電源電圧ＶＤＤの経路である複数の供給チャネルのうちの１つを、順次にまたは選択信号によって選択する。例えば、チャネル選択部２７６は、複数の第１ノードＮ１のうちから１つを選択する第１マルチプレクサ（ＭＵＸ１）と、複数の第２ノードのうちから１つを選択する第２マルチプレクサ（ＭＵＸ２）とで構成される。
【００６０】
比較部２７８は、電流検出部２７４の電流を基準電流と比較する。例えば、比較部２７８は、複数の第１ノードＮ１のうちの１つの第１電圧Ｖ１と複数の第２ノードＮ２のうちの１つの第２電圧Ｖ２を受信してその大きさを比較し、その比較結果を出力する比較器（ｃｏｍｐａｒａｔｏｒ）ＣＯＭで構成される。
【００６１】
このような電源制御部２５０の動作について簡単に説明する。
【００６２】
まず、複数の出力端子２５２に電源電圧ＶＤＤが出力され、発光ダイオードパネル（図３の２２０）の複数の電源配線２２２に電気的短絡または焼損といった不良が発生していない正常状態である場合、複数の抵抗Ｒには基準電流値以下の電流が流れる。その結果、複数の抵抗Ｒによる電圧降下も基準降下量以下となる。
【００６３】
即ち、第１及び第２電圧Ｖ１、Ｖ２の差（Ｖ２−Ｖ１）は、基準降下量に対応する基準電圧値以下となり、比較器ＣＯＭは、比較結果として基準電圧値以下の電圧差に対応する正常状態の信号を電源電圧制御部２７０に伝達する。そして、電源電圧制御部２７０は、正常状態の信号によって複数のトランジスタＴを、全てターンオンするように制御する。
【００６４】
従って、正常状態においては、発光ダイオードパネル２２０の複数の電源配線２２２に電源電圧ＶＤＤが持続的に供給される。
【００６５】
一方、複数の出力端子２５２に電源電圧ＶＤＤが出力され、発光ダイオードパネル（図３の２２０）の複数の電源配線２２２に電気的短絡または焼損といった不良が発生した非正常状態である場合、複数の抵抗Ｒには基準電流値より大きい過電流が流れる。その結果、複数の抵抗Ｒによる電圧降下も基準降下量より大きくなる。
【００６６】
即ち、第１及び第２電圧Ｖ１、Ｖ２の差（Ｖ２−Ｖ１）は、基準降下量に対応する基準電圧値より大きくなり、比較器ＣＯＭは、比較結果として基準電圧値より大きい電圧差に対応する非正常状態の信号を電源電圧制御部２７０に伝達する。
【００６７】
第１及び第２マルチプレクサ（ＭＵＸ１、ＭＵＸ２）によって、複数の供給チャネルに対応する複数の抵抗Ｒのうちから選択された１つに流れる過電流が検出されるため、比較器ＣＯＭは、複数の供給チャネルのうちから非正常状態の供給チャネルを判別し、その非正常状態の供給チャネルに対する情報を含む非正常状態の信号を、電源電圧制御部２７０に伝達することができる。
【００６８】
また、電源電圧制御部２７０は、非正常状態の信号によって複数のトランジスタＴのうちから、非正常状態の供給チャネルに対応するトランジスタＴを、選択的にターンオフするように制御する。
【００６９】
従って、非正常状態においては、発光ダイオードパネル２２０の複数の電源配線２２２のうち、過電流が流れる電源配線２２２へは電源電圧ＶＤＤが遮断され、正常電流が流れる電源配線２２２には電源電圧ＶＤＤが持続的に供給される。
【００７０】
例えば、第１出力端子２５２ａ、第２出力端子２５２ｂ、第３出力端子２５２ｃ、第４出力端子（不図示）及び第５出力端子（不図示）に出力される電流値が、それぞれ１０ｍＡ、２５ｍＡ、１５ｍＡ、１５ｍＡ、３５ｍＡの場合、平均出力電流値は２０ｍＡであって、基準電流値の２２ｍＡ未満という正常範囲に入る。しかし、第２出力端子２５２ｂ及び第５出力端子（不図示）の電流は、基準電流より大きい過電流であるため、該当電源配線２２２に短絡または焼損のような不良が発生したものとして考えることができる。
【００７１】
この場合、電源電圧制御部２７０は、第２及び第５トランジスタＴをターンオフさせて第２出力端子２５２ｂ及び第５出力端子（不図示）に出力される電源電圧ＶＤＤを遮断し、第１、第３及び第４トランジスタＴをターンオンさせて第１出力端子２５２ａ、第３出力端子２５２ｃ、及び第４出力端子（不図示）に出力される電源電圧ＶＤＤは持続的に供給する。
【００７２】
このような電源制御部を含む有機発光ダイオード表示装置の駆動方法について図面を参照して説明する。
【００７３】
図６は、本発明の実施形態に係る有機発光ダイオード表示装置の駆動方法を示すフロー図である。図３ないし図５を共に参照して説明する。
【００７４】
図６に示すように、複数の電源制御部２５０のそれぞれの全出力端子２５２に電源電圧ＶＤＤが出力され、その電源電圧ＶＤＤは、発光ダイオードパネル２２０の複数の電源配線２２２に供給される（ｓｔ１１０）。そして、発光ダイオードパネル２２０の複数の画素領域Ｐは、電源電圧ＶＤＤとゲート信号及びデータ信号を用いて映像を表示する（ｓｔ１２０）。
【００７５】
その後、複数の電源制御部２５０のそれぞれは、複数の電源配線２２２に流れる電流を検出し、その電流が過電流であるか否かを判断する（ｓｔ１３０）。
【００７６】
選択された電源配線２２２の電流が過電流である場合、複数の電源制御部２５０のそれぞれは、該当出力端子２５２から出力される電源電圧ＶＤＤを遮断し、残り出力端子２５２には電源電圧ＶＤＤを出力する（ｓｔ１４０）。その結果、発光ダイオードパネル２２０には、部分的に映像が表示される。
【００７７】
選択された電源配線２２２の電流が過電流でない場合、複数の電源制御部２５０のそれぞれは、全出力端子２５２に電源電圧ＶＤＤが持続的に出力されるようにする。その結果、発光ダイオードパネル２２０には、持続的に映像が表示される。
【００７８】
以上のように、本発明の実施形態に係る有機発光ダイオード表示装置においては、簡単な構成を有する電源制御部２５０を用いて、発光ダイオード表示パネル２２０の複数の電源配線２２２における短絡または焼損のような不良を防止できるため、製造費用を節減することができる。
【００７９】
また、電源制御部２５０を用いて、複数の電源配線２２２の過電流を個別的に検出できるため、短絡または焼損のような不良を防止すると共に映像を部分的に表示しながら不良部分を容易に把握することができる。
【００８０】
更に、タイミング制御部２６０などを用いず、電源制御部２５０のみを用いて電源電圧ＶＤＤを供給すると共に過電流が発生した電源配線２２２への電源電圧ＶＤＤの供給を遮断することで、駆動部の負担を軽減させることができる。
【００８１】
図３においては、複数の第１電源リンク配線２２４のそれぞれが１つの電源配線２２２に接続される構成を例に挙げたが、他の実施形態においては、複数の第１電源リンク配線２２４のそれぞれが２つ以上の電源配線２２２に接続されても良い。これについて図面を参照して説明する。
【００８２】
図７は、本発明の他の実施形態に係る有機発光ダイオード表示装置を示す図面である。図３と同一部分については、その説明を省略する。
【００８３】
図７に示すように、本発明の他の実施形態に係る有機発光ダイオード表示装置３１０は、映像を表示する発光ダイオードパネル３２０と、発光ダイオードパネル３２０に接続され、それぞれゲート信号及びデータ信号を供給する複数のゲート駆動部（不図示）及び複数のデータ駆動部３３０と、発光ダイオードパネル３２０に接続され、電源電圧を供給する電源制御部３５０とを備える。
【００８４】
発光ダイオードパネル３２０の第１基板の表示領域には、複数の画素領域Ｐに電源電圧ＶＤＤを供給するための複数の電源配線３２２が、第１方向（垂直方向）に形成される。また、第１基板の非表示領域には、複数の電源配線３２２に接続され、電源電圧ＶＤＤを複数の電源配線３２２に伝達する複数の第１電源リンク配線３２４が形成される。
【００８５】
複数の第１電源リンク配線３２４のそれぞれは、３つの電源配線３２２に接続される。
【００８６】
複数のデータ駆動部３３０は、複数の駆動集積回路３３２と、複数の延性印刷回路３３４と、データ印刷回路基板３３６とを含む。複数の延性印刷回路３３４のそれぞれの両端部には、複数の第１電源リンク配線３２４にそれぞれ接続され、電源電圧ＶＤＤを複数の第１電源リンク配線３２４に伝達する複数の第２電源リンク配線３４０が形成される。
【００８７】
そして、発光ダイオードパネル３２０の複数の電源配線３２２に流れる電流を検出し、その検出結果に基づいて電源電圧ＶＤＤの出力を制御する複数の電源制御部３５０のそれぞれは、電源電圧ＶＤＤを出力する複数の出力端子３５２を含む。そして、印刷回路基板３３６には、複数の出力端子３５２及び複数の第２電源リンク配線３４０にそれぞれ接続され、複数の電源制御部３５０のそれぞれの電源電圧ＶＤＤを複数の第２電源リンク配線３４０に伝達する複数の第３電源リンク配線３４２が形成される。
【００８８】
その結果、複数の電源制御部３５０から出力される電源電圧ＶＤＤは、互いに１：１：１の対応関係で接続される第１ないし第３電源リンク３２４、３４０、３４２を介して複数の電源配線３２２に伝達され、複数の画素領域Ｐのそれぞれの発光ダイオードに供給される。
【００８９】
このように、１つの第１電源リンク配線３２４に３つの電源配線３２２を接続させる場合、第１ないし第３電源リンク配線３２４、３４０、３４２のそれぞれの個数及び電源制御部３５０の出力端子３５２の個数を減少させることができる。特に、第２電源リンク配線３４０の個数を減少させることで、その形成領域が延性印刷回路３３４内に制限される第２電源リンク配線３４０の設計自由度を改善することができる。更に、出力端子３５２の個数を減少させることで、集積回路の形態で構成される電源制御部３５０の原価を節減することができる。
【００９０】
本発明の実施形態においては、有機発光ダイオード表示装置を例に挙げて説明したが、他の実施形態においては、電源制御部を液晶表示装置に適用しても良い。
【００９１】
即ち、映像を表示する液晶パネルと、液晶パネルにゲート信号及びデータ信号を供給するゲート駆動部及びデータ駆動部で構成される液晶表示装置において、電源制御部をデータ駆動部に形成し、液晶パネルに印加される電源電圧を制御するようにすることができる。
【００９２】
なお、上記においては、本発明の望ましい実施形態を参照して説明したが、後述する特許請求の範囲に記載された本発明の精神と領域を逸脱しない範囲内で、本発明を種々に修正及び変更できることは、当該技術分野に熟練した者にとって自明である。      
【符号の説明】
【００９３】
２１０、３１０…有機発光ダイオード表示装置、２２０、３２０…発光ダイオードパネル、２３０、３３０…データ駆動部、２５０、３５０…電源制御部
【図１】
2014085667.tif 000003
【図２】
2014085667.tif 000004
【図３】
2014085667.tif 000005
【図４】
2014085667.tif 000006
【図５】
2014085667.tif 000007
【図６】
2014085667.tif 000008
【図７】
2014085667.tif 000009